(57)【要約】  【課題】  本発明は、スチーム使用の有無で機器の動作を変更できるとともに、スタンド部の限られたスペースの中で設定スイッチと表示部をコンパクトに構成できるコードレスアイロンを提供することを目的とするものである。  【解決手段】  設定部を１つの設定スイッチで構成するとともに、表示部を、電源の入切を表示する１つの切表示、複数の温度に対応する温度表示およびスチーム使用の有無を表示する１つのスチーム表示により構成し、制御部を、スチーム表示の設定有無に応じて機器の制御動作を変更させるようにしたものである。【選択図】  図４
2005040324.tif 000002
【特許請求の範囲】
【請求項１】
ヒータによって加熱されるベースとスチームを発生させる気化室を備えたアイロン部と、前記アイロン部を載置する載置部、前記アイロン部に供給される商用電源、前記アイロン部の使用状態を設定する設定部および前記アイロン部の設定や使用状態を表示する表示部からなる操作表示部、前記ヒータや前記操作表示部の動作を制御する制御部を備えたスタンド部とを具備し、前記スタンド部は、前記設定部を１つの設定スイッチで構成するとともに、前記表示部を、電源の入切を表示する１つの切表示、複数の温度に対応する温度表示およびスチーム使用の有無を表示する１つのスチーム表示により構成し、前記制御部を、スチーム表示の設定有無に応じて機器の制御動作を変更させるようにしたコードレスアイロン。
【請求項２】
操作表示部は、設定スイッチを押す毎に、表示部が、切表示、温度表示とスチーム表示、温度表示、切表示と、設定及び表示が切替わるようにした請求項１記載のコードレスアイロン。
【請求項３】
設定スイッチを所定時間以上押し続けると、設定及び表示が切表示に戻るようにした請求項１または２記載のコードレスアイロン。
【請求項４】
操作表示部は、設定スイッチを他の全ての表示よりも左側に配置した請求項１〜３のいずれか１項記載のコードレスアイロン。
【発明の詳細な説明】
【技術分野】
【０００１】
本発明は、アイロン部をスタンド部に載置した状態でアイロン部のベースに内蔵するヒータにスタンド部から電力を供給して加熱し、その余熱で使用するコードレスアイロンに関するものである。
【背景技術】
【０００２】
従来、この種のコードレスアイロンは、図６のような構成になっていた。すなわち、スタンド部に設けられた操作表示部１は、スチームを用いて使用する際に前記ベースの温度を任意に設定するスチーム温度設定部２ａと、スチームを用いずに使用する際に前記ベースの温度を任意に設定するドライ温度設定部２ｂの２つの設定スイッチ２からなり、表示部３もそれぞれに、スチームを用いて使用する際の切表示および複数の温度表示からなるスチーム温度設定表示部３ａと、スチームを用いずに使用する際の切表示および複数の温度表示からなるドライ温度設定表示部３ｂより構成されていた（例えば、特許文献１参照）。
【特許文献１】特開平９−３２７５９９号公報
【発明の開示】
【発明が解決しようとする課題】
【０００３】
しかしながら上記従来の構成では、設定スイッチ２と表示部３の構成部品が数多く存在し、スタンド部の限られたスペースの中で構成すると、設定スイッチ２や表示部３のそれぞれの間隔が狭くなって、使い勝手が悪くなるという問題を有していた。また反対に、設定スイッチ２や表示部３の間隔を取って使い勝手を考慮した配置にすると、スタンド部が無駄に大きくなってしまうという問題を有していた。
【０００４】
また、必要最小限の構成ということで、１つの設定スイッチと切表示・複数の温度表示で構成されたものもあった。しかしながら、このような構成のものでは、スチーム使用の有無で温度制御の設定レベルを変更したり、温度低下によりアイロンをスタンド部に戻してもらうことを促す温度の設定レベルを変更することができない。すなわち、使用者がスチームを使用するか否かの判断ができないため、スチーム使用の有無で機器の動作を変更させて、使用状態に応じた最適なアイロンかけを提供することが出来ないという問題も有していた。
【０００５】
本発明は上記課題を解決するもので、スチーム使用の有無で機器の動作を変更できるとともに、スタンド部の限られたスペースの中で設定スイッチと表示部をコンパクトに構成することを目的としている
【課題を解決するための手段】
【０００６】
本発明は上記目的を達成するために、スタンド部に、アイロン部の使用状態を設定する設定部およびアイロン部の設定や使用状態を表示する表示部からなる操作表示部と、ヒータや操作表示部の動作を制御する制御部を備え、設定部を１つの設定スイッチで構成するとともに、表示部を、電源の入切を表示する１つの切表示、複数の温度に対応する温度表示およびスチーム使用の有無を表示する１つのスチーム表示により構成し、制御部を、スチーム表示の設定有無に応じて機器の制御動作を変更させるようにしたものである。
【０００７】
これにより、スチーム使用の有無で機器の動作を変更できるとともに、操作表示部を構成する部品が少ないので、スタンド部の限られたスペースの中で設定スイッチと表示部を構成することができ、スタンド部をコンパクトにし、かつ、操作表示の使い勝手がよいコードレスアイロンを実現することができる。
【発明の効果】
【０００８】
以上のように、本発明によれば、スタンド部に、アイロン部の使用状態を設定する設定部およびアイロン部の使用状態を表示する表示部からなる操作表示部と、ヒータや操作表示部の動作を制御する制御部を備え、設定部を１つの設定スイッチで構成するとともに、表示部を、電源の入切を表示する１つの切表示、複数の温度に対応する温度表示およびスチーム使用の有無を表示する１つのスチーム表示により構成し、制御部を、スチーム表示の設定有無に応じて機器の制御動作を変更させるようにしたことにより、スチーム使用の有無で機器の動作を変更できるとともに、操作表示部を構成する部品が少ないので、スタンド部の限られたスペースの中で設定スイッチと表示部を構成することができ、スタンド部をコンパクトにし、かつ、操作表示の使い勝手を向上させることができる。
【発明を実施するための最良の形態】
【０００９】
本発明の請求項１に記載の発明は、ヒータによって加熱されるベースとスチームを発生させる気化室を備えたアイロン部と、前記アイロン部を載置する載置部、前記アイロン部に供給される商用電源、前記アイロン部の使用状態を設定する設定部および前記アイロン部の使用状態を表示する表示部からなる操作表示部、前記ヒータや前記操作表示部の動作を制御する制御部を備えたスタンド部とを具備し、前記スタンド部は、前記設定部を１つの設定スイッチで構成するとともに、前記表示部を、電源の入切を表示する１つの切表示、複数の温度に対応する温度表示およびスチーム使用の有無を表示する１つのスチーム表示により構成し、前記制御部を、スチーム表示の設定有無に応じて機器の制御動作を変更させるようにしたものであり、スチーム使用の有無で機器の動作を変更できるとともに、操作表示部を構成する部品が少ないので、スタンド部の限られたスペースの中で設定スイッチと表示部を構成することができ、スタンド部をコンパクトにし、かつ、操作表示の使い勝手がよいコードレスアイロンを実現することができる。
【００１０】
請求項２に記載の発明は、上記請求項１に記載の発明において、前記操作表示部は、前記設定スイッチを押す毎に、表示部が、切表示、温度表示とスチーム表示、温度表示、切表示と、設定及び表示が切替わるようにしたものであり、使用頻度が高いスチーム使用の設定に早く設定することができ、使い勝手を高めることができる。
【００１１】
請求項３に記載の発明は、上記請求項１または２に記載の発明において、設定スイッチを所定時間以上押し続けると、設定及び表示が切表示に戻るようにしたものであり、温度表示が複数ある場合に設定スイッチを何度も操作して切表示にもどす手間が省け、アイロンかけを終わりたいときに、どの設定からでもすぐに切表示に戻り、すみやかに作業を終了することができる。
【００１２】
請求項４に記載の発明は、上記請求項１〜３に記載の発明において、前記操作表示部に構成された設定スイッチを他の全ての表示よりも左側に配置したものであり、右利きの人がアイロンかけを行う時は、アイロンテーブルを作業者の前に置き、使い勝手からコードレスアイロンを右側に配置するのが一般的であるが、その際、設定スイッチを作業者の手前の最も近い位置に配置することができ、設定スイッチを操作する際の使い勝手を向上させることができる。
【実施例１】
【００１３】
以下、本発明の一実施例について、図面を参照しながら説明する。
【００１４】
図１から図３に示すように、アイロン部４は、ヒータ５によって加熱されるベース６と、スチームを発生させるための気化室７と、この気化室に送る水を蓄えるサブタンク８と、スタンド部９からこのサブタンク８に水を供給する受水弁１０と、後部に設けた電極部Ｐ１，Ｐ２，Ｐ３と、アイロン部４のベース６の温度とサブタンク８の水有無の信号をスタンド部９に送信する信号送信部１１より構成されている。
【００１５】
商用電源１２とアイロン部４を載せる載置部１３を有するスタンド部９は、電極部Ｐ４，Ｐ５，Ｐ６と、アイロン部４の動作状態を設定する操作表示部１４と、水を蓄えるメインタンク１５と、このメインタンク１５からアイロン部４のサブタンク８へ受水弁１０を通して水を供給するポンプ１６と、前記操作表示部１４の設定および信号送信部１１からの信号に応じて、ヒータ５およびポンプ１６の動作を制御する、マイクロコンピュータ等からなる制御部１９より構成されている。
【００１６】
また、図３および図４で示すように、操作表示部１４は、アイロンかけの温度やポンプ１６の動作を任意に設定する１つの設定スイッチで構成された設定部１７を操作表示部１４の最も左側に配置し、その右側に設定や動作状態を表示する表示部１８を配置して構成されている。
【００１７】
さらにこの表示部１８は、商用電源１２投入時およびアイロンかけ作業終了時に点灯してヒータ５やポンプ１６の動作の停止を表示する切表示１８１と、ベース６の温度をアイロンかけを行いたい３段階（低温度・中温度・高温度）の温度いずれかに任意に設定する際に点灯表示させる温度表示１８２と、スチームを用いてアイロンかけを行いたい場合に点灯表示させるスチーム表示１８３より、構成されている。
【００１８】
そして、図５に示すように、商用電源１２を投入すると、表示部１８は１８ａに示すように切表示１８１のみが点灯し、その後、設定部１７を操作する毎に、スチーム表示１８３と温度表示１８２が順に１８ｂ、１８ｃ、１８ｄのように点灯し、次に温度表示１８２のみが順に１８ｅ、１８ｆ、１８ｇのように点灯し、再び１８ａのように切表示１８１のみの点灯状態に戻るように、制御部１９によって制御されている。
【００１９】
そして、設定部１７を所定時間以上（本実施例では１．５ｓ以上）押し続けると、１８ａに示す切表示１８１のみが点灯している初期状態に戻るように、制御部１９によって制御されている。
【００２０】
上記構成において動作を説明すると、まず、使用者は、アイロンがけを行う際のアイロンテーブル等を使用者の前面に配置する。そして、右利きの場合はアイロン部４を右手で主に操作するので、体の右手前にコードレスアイロンをセットする。そして、スタンド部９の商用電源１２を投入すると、制御部１９が動作を始め、表示部１８は、図５の１８ａに示すように切表示１８１のみが点灯し、ヒータ５およびポンプ１６の動作は停止したままとする。
【００２１】
次に、使用者が操作表示部１４の設定部１７を１回操作すると、表示部１８はスチーム表示１８３と温度表示１８２の低温度設定が図５の１８ｂのように点灯する。この際、設定部１７は、スタンド部９の操作表示部１４において、表示部１８の全ての表示より左側に配置されているので、使用者から見ると手前に設定部１７があり、設定部１７の操作性を高めることができる。
【００２２】
そして、制御部１９は、アイロン部４に配置された信号送信部１１からの信号が電極部Ｐ１−Ｐ４およびＰ３−Ｐ６を通じて送信され、ベース６の温度とサブタンク８の水有無を判断し、設定されたスチーム使用時の低温度よりベース６の温度が低ければ電極部Ｐ１−Ｐ４およびＰ２−Ｐ５を通じてヒータ５の通電を行うとともに、サブタンク８の水が空であれば、タンク１５より受水弁１０を通じて、サブタンク８の水が満水になるまでポンプ１６を動作させる。そして、ベース６の温度が設定されたスチーム使用時の低温度に到達すると、ヒータ５の通電を停止し、使用可能状態であることをブザー等で使用者に報知する。
【００２３】
その後、使用者は、アイロン部４をスタンド部９より離脱させ、アイロンかけを行うが、その際、サブタンク８に蓄えられた水は、気化室７を通してスチームとしてベース６底面から噴出され減少し、ベース６の温度も低下していく。そして再び、アイロン部４をスタンド部９の載置部１３に載せた際に、信号送信部１１からの信号を制御部１９が判断し、ヒータ５およびポンプ１６の動作を制御する。
【００２４】
なお、スチームを使用する際は、スチームを使用しない場合より温度低下が早いため、ベース６の温度を若干高めに制御することにより、スチームの使用状態に適したアイロンかけを実現することができるようにしている。
【００２５】
また、使用者がスチームを使用せず低温度でアイロンかけを行いたい場合は、さらに設定部１７を操作し、図５の１８ｅに示す、温度表示１８２の低温度のみが点灯する状態にする。そして、制御部１９は、ポンプ１６の動作を停止するとともに、ベース６の温度をスチームを使用しない低温度に適した状態、つまりスチームを使用する際の低温度より若干低めの温度に制御する。
【００２６】
したがって、操作表示部１４をスタンド部９にコンパクトに構成でき、操作性を向上させるとともに、ポンプ１６の動作やベース６の設定温度をスチームの有無に適した状態に機器を動作させることができる。
【００２７】
また、アイロンかけを終了する時は、設定部１７を１．５ｓ以上押し続けることにより、図５の１８ｅに示す状態から、切表示１８１のみが点灯する１８ａの状態に戻し、商用電源１２を切って終了する。
【００２８】
したがって、どの設定および表示に設定されていても１回の操作で、切表示１８１のみが点灯する１８ａの状態に戻すことができ、アイロンかけ終了時や所望の設定を通りすぎた場合においても、すみやかに作業を終了できる状態に戻すことができ、設定の使い勝手を向上させることができる。
【図面の簡単な説明】
【００２９】
【図１】本発明のコードレスアイロンの要部断面図
【図２】同コードレスアイロンのスタンド部の平面図
【図３】同コードレスアイロンのブロック図
【図４】同コードレスアイロンの操作表示部の平面図
【図５】同コードレスアイロンのフローチャート
【図６】従来のコードレスアイロンの操作表示部の平面図
【符号の説明】
【００３０】
４  アイロン部
６  ベース
７  気化室
９  スタンド部
１２  商用電源
１４  操作表示部
１７  設定部
１８  表示部
１９  制御部
１８１  切表示
１８２  温度表示
１８３  スチーム表示
【図１】
2005040324.tif 000003
【図２】
2005040324.tif 000004
【図３】
2005040324.tif 000005
【図４】
2005040324.tif 000006
【図５】
2005040324.tif 000007
【図６】
2005040324.tif 000008